(57)【要約】【課題】ネットワーク機器の設定の複雑化に伴い、高度技術習得者に頼ることなく簡易な識別装置により、専門知識を得てなくても速やかなルーティングテーブル変更が出来る環境を提供する。【解決手段】ネットワーク機器に外部から指示を受ける識別装置を設けこの指示によりルーティングテーブルを変更し、ルーティングの切り替えを行う。また、識別装置にカメラを用い、色または外部の映像の変化を検出しこれを契機にルーティングテーブルを変更し、ルーティングの切り替えを行う。さらに識別装置をバーコード読み取り装置を用いてバーコード情報によりルーティングテーブルを変更し、ルーティングを切り替える。【選択図】  図１
2008263463.tif 000002
【特許請求の範囲】
【請求項１】
複数のネットワークに接続され、ネットワークの切り替えを行なうネットワーク機器におけるルーティング切替方法であって、外部から指示を受ける識別装置を設け、該識別装置が外部から受け付けた指示に基づいてルーティングテーブルを変更し、ルーティングを切り替ることを特徴とするルーティング切り替え方法
【請求項２】
前記識別装置としてカメラを用い、色または外部の映像の変化を検出しこれを契機にルーティングテーブルを変更し、ルーティングを切り替ることを特徴とするルーティング切り替え方法
【請求項３】
前記識別装置としてバーコード読み取り装置を用い、外部から入力されたバーコード情報を認識させることよりルーティングテーブルを変更し、ルーティングを切り替ることを特徴とするルーティング切り替え方法
【発明の詳細な説明】
【技術分野】
【０００１】
本発明は、ルーティングテーブル切り替え方法に関し、特に、ルーティングの切り替えが必要な工ことや保守の際にネットワーク機器を活用して設定を変更することが出来、また災害時にルート変更が即座にできるルーティングテーブル切り替え方法に関する。
【背景技術】
【０００２】
最近ではＩＰ化が進み、またこれに関する技術も複雑高度化されつつあるが、運用面でこうした複雑な機器を制御できるエンジニアの絶対数が不足しており、工ことの際にも必ずこうした専門の技術者が必要となり、また緊急時に早急な対処が出来ない可能性がある。
【０００３】
さらには火災などの災害時にも保守員が駆けつけるまでの時間がかかり、この間正常に機器が働かない場合が発生する。
【０００４】
このような課題に関する従来技術としては、特許文献１に記載されたものがある。特許文献１では、ネットワークに流れるダイナミックルーティングを収集し、ルーティングテーブルに書き込む手法を開示している。
【０００５】
【特許文献１】特開平７−１６２４１６号公報
【発明の開示】
【発明が解決しようとする課題】
【０００６】
前記特許文献１のような実現手段であると、外部、また人手での変更は不可能である。本発明は、このような課題を解決するためになされたもので、外部より簡単に識別できる方法を用い、ルーティングテーブルを書き込むことができる方法を提供することを目的とする。
【課題を解決するための手段】
【０００７】
上記課題を解決するために、本発明においては、数のネットワークに接続され、ネットワークの切り替えを行なうネットワーク機器におけるルーティング切替方法であって、既存のネットワーク機器に識別装置を付加し、この識別装置がカメラの場合、色または外部の映像の変化を検出しこれを契機にルーティングを行い、前述の識別装置がバーコード読み取り装置の場合、バーコードを認識させることよりルーティングテーブルの切り替えを行うようにした。
【発明の効果】
【０００８】
以上の説明から明らかなように、本発明によれば、識別装置を付与することにより、複雑な設定を簡易化することも可能であり、専門の知識を得た技術者でなくても操作でき、またカメラなどを識別装置に用いれば、色や映し出された映像の変化などでもルーティングテーブルの変更が可能となる。また、緊急時や保守運用の際にも、コマンド等を熟知した技術者でなくてもルーティングテーブルを速やかに変更することができる。
【発明を実施するための最良の形態】
【０００９】
以下、本発明の実施の形態を、図面を参照して説明する。
【００１０】
図１は、本発明のＩＰ電話システムの構成を示すブロック図である。
【００１１】
同図において、１００はネットワーク機器、１０１は情報発信部、１０２は情報受信部、１０３は受信データ変換部、１０４はデータ分析判定部、１０５はルーティングテーブル制御部。図２において１０６は制御用映像、１０７は受像用カメラ部、１０８は受像データ変換部。図３において１０９は制御用バーコード、１１０はバーコード読み取り部、１１１はバーコードデータ分析判定部である。
【００１２】
情報発信部１０１からのデータがネットワーク機器内１００の情報受信部１０２へ入り、この際情報受信部は情報発信部と情報のやり取りが出来れば良い。この情報が１０３の受信データ変換部へ送られる。ここで情報は判定するのに必要なデータに変換される。１０３にてルーティングテーブルを判定できるデータへ変換され、このデータを元にデータ分析判定部１０４で該当するルーティングテーブルデータを検索する。この際、判定不可の場合は特に変更しない。この結果よりルテーリングテーブル制御部１０５が、指示されたルーティング情報に切り替える。
【００１３】
図２は、本発明のルーティングテーブル切り替えの識別装置がカメラの場合の具体例を示す図である。
【００１４】
制御用映像１０６より受像カメラ部１０７に情報が送られる。この制御用映像は単なる赤といった色や文字、模様等、予め登録していた情報と一致、または区別出来るものであれば良い。例えば、災害で本来、赤がない場所で炎を受像カメラ部１０７が映し、受像データ変換部１０８が赤と識別した際、予めデータ分析判定部１０４に赤の場合は、別のネットワーク切り替える情報を入れておけば、ルーティングテーブル制御部１０５はネットワークＡ、ネットワークＢに情報を送ることにより、ネットワークから災害部位の切り離しも可能である。
【００１５】
図４に制御概要のフローチャートを示す。
【００１６】
図３は、本発明のルーティングテーブル切り替えの識別装置がバーコード読み取り装置の場合の具体例を示す図である。
【００１７】
制御用バーコード１０９よりバーコード読み取り部１１０に情報が送られる。この制御用バーコード通常の技術を応用し、予め登録していた情報と一致出来るものであれば良い。例えば、定期的にネットワークテーブル点検等変更する際、ネットワーク機器１００のコマンド等を知らなくても、対応するバーコードがあれば良く、特別な技術なない作業者でも制御用バーコード１０９をバーコード読み取り部１１０に読み込ませ、受像データ変換部１０８が認識した際、予めバーコードデータ分析判定部１１１に、別のネットワーク切り替える情報を入れておけば、ルーティングテーブル制御部１０５はネットワークＡからネットワークＢに変更することにより、特に特殊な技術を持つ作業者が不在でも、ネットワークの定期保守なども簡単に行うことが出来る。
【００１８】
図５に制御概要のフローチャートを示す。
【図面の簡単な説明】
【００１９】
【図１】ルーティングテーブル切り替え方法の構成例を示す図である。
【図２】ルーティングテーブル切り替えの識別装置がカメラの場合の具体例を示す図である。
【図３】ルーティングテーブル切り替えの識別装置がバーコード読み取り装置の場合の具体例を示す図である。
【図４】ルーティングテーブル切り替えの識別装置がカメラの場合の制御概要のフローチャートである。
【図５】ルーティングテーブル切り替えの識別装置がバーコード読み取り装置の場合の制御概要のフローチャートである。
【符号の説明】
【００２０】
１００ … ネットワーク機器
１０１ … 情報発信部
１０２ … 情報受信部
１０３ … 受信データ変換部
１０４ … データ分析判定部
１０５ … ルーティングテーブル制御部
１０６ … 制御用映像
１０７ … 受像用カメラ部
１０８ … 受像データ変換部
１０９ … 制御用バーコード
１１０ … バーコード読み取り部
１１１ … バーコードデータ分析判定部
【図１】
2008263463.tif 000003
【図２】
2008263463.tif 000004
【図３】
2008263463.tif 000005
【図４】
2008263463.tif 000006
【図５】
2008263463.tif 000007